(57)【要約】【課題】視覚的変化による興趣を長期に及んで遊戯者に供与できる玩具を提供する。【解決手段】玩具は、物品ＡＲを載置可能な主面部１１を有する本体部１０と、本体部１０の主面部１１に沿って物品ＡＲを移動可能な送り部２０とを備えており、本体部１０の主面部１１には移動中の物品ＡＲの向きを変化可能な転向部１３が設けられている。【選択図】図７
2020069403.tif 000002
【特許請求の範囲】
【請求項１】
物品の向きを変化可能な玩具であって、
前記物品を載置可能な主面部を有する本体部と、
前記本体部の前記主面部に沿って前記物品を移動可能な送り部であって、前記主面部上を移動可能な押圧部を有する送り部と、
前記本体部の前記主面部に設けられ、移動中の前記物品の向きを変化可能な転向部と、を備え、
前記転向部は、移動中の前記物品に傾きを付与する傾き付与面と、傾きが付与された前記物品を案内する案内面と、前記物品の傾きを増長させる傾き増長面とを有している、
玩具。
【請求項２】
前記転向部は、移動中の前記物品に傾きを付与するように構成されている、
請求項１に記載の玩具。
【請求項３】
前記転向部による前記物品の向きの変化は、前記物品の反転である、
請求項２に記載の玩具。
【請求項４】
前記物品は、トーラス状または扁球状を成している、
請求項３に記載の玩具。
【請求項５】
前記物品は、非反転状態と反転状態とで異なる色が視認できるように構成されている、
請求項３または４に記載の玩具。
【請求項６】
前記傾き増長面が前記案内面と成す角度は、前記傾き付与面が前記案内面と成す角度よりも大きい、
請求項１〜５のいずれか１項に記載の玩具。
【請求項７】
前記傾き増長面が前記案内面と成す角度は、鈍角である、
請求項６に記載の玩具。
【請求項８】
前記傾き増長面と前記案内面との境界、及び前記傾き増長面と前記主面部との境界には、丸みまたはテーパーが付けられている、
請求項１〜７のいずれか１項に記載の玩具。
【請求項９】
前記傾き増長面の前記案内面を基準とした高さ寸法は、前記傾き付与面の前記案内面を基準とした高さ寸法よりも小さい、
請求項１〜８のいずれか１項に記載の玩具。
【請求項１０】
前記押圧部の下縁には、補助押圧部が設けられており、
前記本体部の前記主面部には、前記補助押圧部の移動を許容する溝部が形成されている、
請求項１〜９のいずれか１項に記載の玩具。
【請求項１１】
前記押圧部は、前記送り部の中心を基点として放射状に複数個設けられており、
前記送り部は、隣接する２個の前記押圧部の間に前記物品が収まった状態で回転可能に構成されている、
請求項１〜１０のいずれか１項に記載の玩具。
【請求項１２】
前記押圧部の間の角度間隔は、等角度間隔である、
請求項１１に記載の玩具。
【請求項１３】
前記本体部の前記主面部には、移動中の前記物品を揺動可能な揺動部が前記転向部と隣接して設けられている、
請求項１〜１２のいずれか１項に記載の玩具。
【請求項１４】
前記揺動部の個数は複数個であり、前記転向部の個数は１個である、
請求項１３に記載の玩具。
【請求項１５】
前記本体部には、移動中の前記物品を取り出し可能な取出部が設けられている、
請求項１〜１４のいずれか１項に記載の玩具。
【請求項１６】
前記取出部は、前記物品の取り出しを規制する閉塞状態と、前記物品の取り出しを許容する開放状態とに変化できるように構成されている、
請求項１５に記載の玩具。
【請求項１７】
前記取出部は、前記転向部と離れた位置に設けられている、
請求項１５または１６に記載の玩具。
【請求項１８】
前記送り部を動作させるための操作手段を備える、
請求項１〜１７のいずれか１項に記載の玩具。
【請求項１９】
前記操作手段は、回転可能なハンドルと、前記ハンドルの回転を前記送り部に伝達する動力伝達機構とを有している、
請求項１８に記載の玩具。
【請求項２０】
前記ハンドルと前記送り部は一方向の回転のみが可能となるように構成されている、
請求項１９に記載の玩具。
【発明の詳細な説明】
【技術分野】
【０００１】
本発明は、視覚的変化を主たる興趣とする玩具に関する。
【背景技術】
【０００２】
後記特許文献１には、冷却室と冷熱源室との間で送風手段による空気循環が行えるように構成され、冷熱源室内の冷熱ブロックで冷却された循環空気によって、冷却室に収容された熱変色物（常温以下で変色可能）を冷却して変色できるようにした玩具が開示されている。
【０００３】
この玩具は、熱変色物の変色に基づく視覚的変化を主たる興趣とするものであるが、冷熱ブロック（氷塊や蓄冷剤ブロック）による冷却能力は時間経過によって低下するため、繰り返しの使用や一時的な放置によって所期の変色、すなわち、視覚的変化による興趣を遊戯者に供与できなくなる懸念がある。
【先行技術文献】
【特許文献】
【０００４】
【特許文献１】特開平０９−０５６９３７号公報
【発明の概要】
【発明が解決しようとする課題】
【０００５】
本発明が解決しようとする課題は、視覚的変化による興趣を長期に及んで遊戯者に供与できる玩具を提供することにある。
【課題を解決するための手段】
【０００６】
本発明に係る玩具は、物品の向きを変化可能な玩具であって、前記物品を載置可能な主面部を有する本体部と、前記本体部の前記主面部に沿って前記物品を移動可能な送り部であって、前記主面部上を移動可能な押圧部を有する送り部と、前記本体部の前記主面部に設けられ、移動中の前記物品の向きを変化可能な転向部と、を備え、前記転向部は、移動中の前記物品に傾きを付与する傾き付与面と、傾きが付与された前記物品を案内する案内面と、前記物品の傾きを増長させる傾き増長面とを有している。
【発明の効果】
【０００７】
本発明に係る玩具によれば、視覚的変化による興趣を長期に及んで遊戯者に供与することができる。
【図面の簡単な説明】
【０００８】
【図１】図１（Ａ）は本発明を適用した玩具の上面図、図１（Ｂ）は同側面図である。
【図２】図２（Ａ）は図１（Ａ）に示した本体部の上面図、図２（Ｂ）は同本体部の取出部を開放した状態を示す図である。
【図３】図３（Ａ）は図２（Ａ）のＳ１−Ｓ１線断面図、図３（Ｂ）は図３（Ａ）に示した転向部の拡大図、図３（Ｃ）は図３（Ａ）および図３（Ｂ）に示した転向部の変形例を示す図３（Ｂ）対応図、図３（Ｄ）は図３（Ａ）および図３（Ｂ）に示した転向部の他の変形例を示す図３（Ｂ）対応図である。
【図４】図４（Ａ）は図１（Ａ）に示した可動送り部の下面図、図４（Ｂ）は図４（Ａ）のＳ２−Ｓ２線断面図である。
【図５】図５（Ａ）〜図５（Ｃ）は図１に示した玩具に使用可能な物品の上面図、下面図および側面図である。
【図６】図６（Ａ）〜図６（Ｃ）は図１に示した玩具に使用可能な他の物品の上面図、下面図および側面図である。
【図７】図７は図１に示した玩具の遊戯方法を示す図１（Ａ）対応図である。
【図８】図８（Ａ）〜図８（Ｄ）は図１に示した玩具の遊戯方法を示す図３（Ａ）対応図である。
【図９】図９は図１に示した玩具の遊戯方法を示す図１（Ａ）対応図である。
【発明を実施するための形態】
【０００９】
以下の説明では、便宜上、図１（Ａ）の左側を前、右側を後、上側を右、下側を左、手前側を上、奥側を下と表記し、他の図についてもこれらに準じて向きを表記する。
【００１０】
図１〜図９は本発明を適用した玩具（符号省略）に係るものであり、当該玩具は視覚的変化、具体的には、後述の物品（図５に示したＡＲまたは図６に示したＡＲ’を参照）の向きの変化に基づく視覚的変化を主たる興趣とするものである。
【００１１】
この玩具は、図１に示したように、物品を載置可能な主面部１１を有する本体部１０と、本体部１０の主面部１１に沿って物品を移動可能な送り部２０と、本体部１０を支える基台部３０と、送り部２０を動作させるための操作手段４０とを備えている。
【００１２】
〈玩具の構成〉
まず、図１〜図６を用いて、玩具の構成、すなわち、本体部１０と送り部２０と基台部３０と操作手段４０と物品の構成について順に説明する。
【００１３】
〈本体部１０の構成〉
本体部１０は、図１および図２に示したように、上面視が円状の主面部１１と、主面部１１の周囲を囲む上面視が環状の外枠部１２とを有している。なお、外枠部１２は移動中の物品が主面部１１からこぼれ落ちないようにする役目を担うが、当該外枠部１２に相当する環状部分を送り部２０の周囲に設けてもこぼれ落ちを同様に防止することが可能である。
【００１４】
主面部１１には、上面視が円状で平坦な中央区域（符号省略）の回りに、上面視が扇状の１個の転向部１３と、上面視が扇状の５個の揺動部１４と、上面視が扇状で平坦な２個の移動区域（符号省略）とが、上から見て時計回り方向に揺動部１４−揺動部１４−揺動部１４−転向部１３−後側移動区域−揺動部１４−揺動部１４−前側移動区域の順に並ぶように設けられている。
【００１５】
後側移動区域および前側移動区域の上面の上下方向位置は、中央区域の上面の上下方向位置と同じである。加えて、隣接する揺動部１４の間と、揺動部１４と転向部１３との間と、揺動部１４と前側移動区域との間には、それぞれ平坦部分があり、当該平坦部分の上下方向位置も、中央区域の上面の上下方向位置と同じである。
【００１６】
また、主面部１１には、転向部１３と各揺動部１４と各移動区域を横切るようにして、上面視が環状で縦断面が矩形状の溝部１１ａが形成されている。図３（Ａ）に示したように、溝部１１ａの底面の上下方向位置は、転向部１３の底面１３ｂおよび各揺動部１４の底面１４ｂの上下方向位置と同じであるため、図１および図２の転向部１３の底面１３ｂおよび各揺動部１４の底面１４ｂには溝部１１ａを表す線は描かれていない。
【００１７】
さらに、主面部１１の中央区域の中心には、後述のフェースギヤ４５の軸部４５ａが回転可能に挿入可能な円柱状の貫通孔１１ｂが設けられている。
【００１８】
さらに、本体部１０の前側には、移動中の物品を取り出し可能な取出部１５が設けられている。取出部１５は、前側移動区域の溝部１１ａよりも外側に存する主面部１１の一部１５ａと外枠部１２の一部１５ｂとを有しており、外面一端部に設けられたブラケット１５ｃを外枠１２に設けられた軸支部１６に回転可能に支持されている。また、取出部１５の外面他端部には、外枠１２の外面との接触によって閉塞位置を定めるための位置決め片１５ｄ１を有する取っ手１５ｄが設けられている。
【００１９】
すなわち、取出部１５は、主面部１１の前側移動区域からの物品の取り出しを規制する閉塞状態（図２（Ａ）を参照）と、当該前側移動区域からの物品の取り出しを許容する開放状態（図２（Ｂ）を参照）とに変化できるようになっている。図２（Ａ）および図２（Ｂ）から分かるように、取出部１５は、転向部１３と離れた位置、具体的には転向部１３と約１８０度の角度差で対向する位置に存在する。
【００２０】
ここで、図２（Ａ）、図３および図８を用いて、転向部１３と各揺動部１４の形状等について詳述する。ちなみに、図３（Ａ）は図２（Ａ）のＳ１−Ｓ１断面図であるため、転向部１３の図中右側に２個の揺動部１４が描かれ、転向部１３の図中左側に後側移動区域が描かれている。
【００２１】
転向部１３は、移動中の物品の向きを変化させること、好ましくは反転させること（図８を参照）を目的とする窪んだ部位である。この転向部１３は、移動中の物品に傾きを付与し当該傾きを増長させるように構成されており、例えば図２（Ａ）および図３に示したように、移動中の物品に傾きを付与する傾き付与面１３ａと、傾きが付与された物品を案内する底面１３ｂ（案内面）と、物品の傾きを増長させる傾き増長面１３ｃとを有している。
【００２２】
前記の構成において、傾き増長面１３ｃが底面１３ｂ（案内面）と成す角度αは、図３（Ｂ）に示したように、傾き付与面１３ａが底面１３ｂと成す角度βよりも大きいことが好ましく、当該角度αは鈍角であることがより好ましい。補足すれば、傾き付与面１３ａは物品に傾きを付与できればよいため（図８（Ｂ）を参照）、角度βは９０度や鋭角であってもよい。一方、傾き増長面１３ｃは物品の傾きを増長させる役目（図８（Ｃ）を参照）を担うため、角度αは９０度や鋭角よりも鈍角（例えば１２０度前後）であることが好ましい。
【００２３】
また、傾き増長面１３ｃによる傾きの増長（図８（Ｃ）を参照）、ならびに、主面部１１への物品のスムースな移行（図８（Ｄ）を参照）を考慮すると、図３（Ｃ）に示したように、傾き増長面１３ｃと底面１３ｂ（案内面）との境界ＢＤ１、ならびに、傾き増長面１３ｃと主面部１１との境界ＢＤ２に丸みまたはテーパーを付けることも有効である。
【００２４】
さらに、主面部１１への物品のスムースな移行（図８（Ｄ）を参照）をより一層的確に行うには、図３（Ｄ）に示したように、傾き増長面１３ｃの底面１３ｂを基準とした高さ寸法Ｈ１を、傾き付与面１３ａの底面１３ｂを基準とした高さ寸法Ｈ２よりも小さくすることも有効である。ちなみに、Ｈ１＜Ｈ２とする方法には、傾き増長面１３ｃと主面部１１との境界ＢＤの丸みまたはテーパーを極力大きくとる方法や、傾き増長面１３ｃと隣接する主面部１１の一部の高さを部分的に低くする方法等が採用できる。
【００２５】
揺動部１４は、移動中の物品を揺動させること（図８を参照）を目的とする窪んだ部位である。この揺動部１４は、移動中の物品に傾きを付与し当該傾きを復元させるように構成されており、例えば図２（Ａ）および図３に示したように、移動中の物品に傾きを付与する傾き付与面１４ａと、傾きが付与された物品を案内する底面１４ｂ（案内面）と、物品の傾きを復元させる傾き復元面１４ｃとを有している。
【００２６】
前記の構成において、傾き付与面１４ａは物品に傾きを付与できればよいため、前記角度βに相当する角度は転向部１３の傾き付与面１３ａと同様に９０度や鋭角であってもよい。一方、傾き復元面１４ｃは物品の傾きを復元させる役目（図８（Ｃ）を参照）を担うため、前記角度αに相当する角度が鈍角（例えば１５０度前後）の傾斜面であってもよいが、階段状を成している方が揺動部１４を移動する物品により一層の揺れ動きを付与できる点で好ましい。ちなみに、傾き復元面１４ｃを階段状とする場合の段数は、物品の傾きを復元できれば特段の制限はない。
【００２７】
〈送り部２０の構成〉
送り部２０は、図１および図４に示したように、上面視が円状の円板部２１と、円板部２１の中心を基点として当該円板部２１の外周面から放射状に延びた矩形板状の計８個の押圧部２２とを有している。計８個の押圧部２２の間の角度間隔は、好ましくは等角度間隔（４５度）であり、隣接する２個の押圧部２２の間に１個の物品が収まった状態で回転できるようになっている（図７を参照）。
【００２８】
円板部２１の下面の中心には、後述のフェースギヤ４５の軸部４５ａが差し込まれて連結される円柱状の連結穴２１ａが設けられている。また、円板部２１の上面視形状は本体部１０の主面部１１の中央区域の形状と一致または略一致しており、各押圧部２２の先端は本体部１０の外枠部１２の内面と近接している。
【００２９】
各押圧部２２の上下方向寸法は、物品を本体部１０の主面部１１に沿って押圧して移動できる範囲内であれば、物品の厚さ寸法（図５（Ｃ）および図５（Ｄ）の上下方向寸法）と一致させる必要はない。また、各押圧部２２の下面には、本体部１０の主面部１１の溝１１ａ内を移動可能な矩形板状の補助押圧部２２ａが設けられており、各補助押圧部２２ａの下端は転向部１３の底面１３ｂ（案内面）および各揺動部１４の底面１４ｂと近接している。
【００３０】
すなわち、送り部２０はフェースギヤ４５の軸部４５を中心として回転できるようになっており、当該回転に基づいて、各押圧部２２は本体部１０の主面部１１上を円弧状の軌道で移動でき、かつ、各押圧部２２の補助押圧部２２ａは本体部１０の主面部１１の溝１１ａ内を移動できるようになっている。
【００３１】
〈基台部３０の構成〉
基台部３０は、図１に示したように、Ｌ字状の基礎部２１と、基礎部２１の横板部分（符号省略）に設けられ本体部１０を支持する複数個の支持部３２と、基礎部２１の横板部分（符号省略）に前後方向に間隔をおいて設けられた複数の軸支部３３とを有している。
【００３２】
また、基礎部２１の横板部分の前部右側には、物品滑動溝３４ａと物品停止溝３４ｂとを連続して有する搬出部３４が設けられており、物品滑動溝３４ａの上部は本体部１０の取出部１５の真下に位置している。
【００３３】
〈操作手段４０の構成〉
操作手段４０は、図１に示したように、取っ手４１ａを具備した円板状のハンドル４１と、ハンドル４１の中心に一端部を連結され、かつ、基礎部２１の縦板部分（符号省略）に設けられた円柱状の軸支孔３１ａと３個の軸支部３３に設けられた円柱孔の軸支孔３３ａに回転可能に配置されたシャフト４２と、シャフト４２の他端部に固定された第１スパーギヤ４３と、後側２個の軸支部３３の間に位置するシャフト４２の一部分に回転可能に設けられた第２スパーギヤ４４と、第１スパーギヤ４３および第２スパーギヤ４４に噛合し、かつ、その軸部４４ａの端部を本体部１０の貫通孔１１ｂを通じて送り部２０の連結穴２１ａに連結されたフェースギヤ４５とを有している。
【００３４】
この操作手段４０において、シャフト４２と第１スパーギヤ４３とフェースギヤ４５は、ハンドル４１の回転を送り部２０に伝達する動力伝達機構（符号省略）に該当する。ちなみに、第２スパーギヤ４４は、動力伝達時にフェースギヤ４５にぶれやがたつきを抑制する役目を果たす。
【００３５】
後述の遊戯方法において、ハンドル４２の回転方向は後面視で時計回り方向、送り部２０の回転方向は上面視で時計回り方向であるため、第１スパーギヤ４３にその回転方向を時計回り方向のみに規制する弾性片（図示省略）を係合するか、あるいは、シャフト４２と第１スパーギヤ４３との間等にラチェットを介在させれば、ハンドル４１と可動送り部２０を一方向の回転のみが可能となるように構成することもできる。
【００３６】
〈物品の構成〉
物品としては、図５に示した物品ＡＲ、または、図６に示した物品ＡＲ’を選択的に使用することができる。図５に示した物品ＡＲはトーラス状で、上面から見たとき（非反転状態、図５（Ａ）参照）と下から見たとき（反転状態、図５（Ｂ）参照）とで異なる色が視認できるように構成されている。図６に示した物品ＡＲは扁球状で、上面から見たとき（非反転状態、図６（Ａ）参照）と下から見たとき（反転状態、図６（Ｂ）とで異なる色が視認できるように構成されている。
【００３７】
物品ＡＲおよびＡＲ’を上面から見たとき（非反転状態、図５（Ａ）および図６（Ａ）を参照）と下から見たとき（反転状態、図５（Ｂ）および図６（Ｂ）を参照）とで異なる色が視認できるようにする方法としては、物品ＡＲおよびＡＲ’の下半分を当該物品ＡＲおよびＡＲ’の地色と異なる色で着色して異色部ＡＲａおよびＡＲａ’を設ける方法の他、物品ＡＲおよびＡＲ’の上半分を当該物品ＡＲおよびＡＲ’の地色と異なる色で着色し、かつ、物品ＡＲおよびＡＲ’の下半分を上半分の色と異なる色で着色して異色部ＡＲａおよびＡＲａ’を設ける方法等を例示することができる。なお、物品ＡＲとＡＲａ、物品ＡＲ’とＡＲａ’において、それぞれ上半分と下半分とで異なる模様等を付与するように構成されてもよい。
【００３８】
〈玩具の遊戯方法〉
次に、図７〜図９と図２（Ｂ）を用いて、前述の玩具の遊戯方向について説明する。なお、図７には、説明の便宜上、物品として図５に示した物品ＡＲを非反転状態で２個配置したもの示したが、物品として図６に示した物品ＡＲ’を用いる場合、また、物品ＡＲまたはＡＲ’の配置個数を３個以上８個以下とした場合も、同様の遊戯方法が採用できる。
【００３９】
遊戯に際しては、図７に示したように、隣接する２個の押圧部２２の間に１個の物品ＡＲが収まるように、隣接する２個の揺動部１４に当該物品ＡＲを非反転状態（図５（Ａ）を参照）で配置する。そして、ハンドル４１を後面視で時計回り方向に回転させて、送り部２０を上面視で時計回り方向に回転させる。すなわち、この送り部２０の回転により、２個の物品ＡＲは押圧部２２および補助押圧部２２ａの押圧に基づいて本体部１０の主面部１１上を円弧状の軌道で移動することになる。具体的には、物品ＡＲの移動方向における前端部が底面１３ｂ（案内面）または底面１４ｂに接しているとき、及び物品ＡＲの一方面部（または他方面部）が主面部１１上に接しているときは、物品ＡＲは、押圧部２２ａにより押圧されることで移動し、物品ＡＲの移動方向における後端部が底面１３ｂ（案内面）または底面１４ｂに接しているときは、物品ＡＲは、補助押圧部２２ａにより押圧されることで移動する。  
【００４０】
移動を開始した２個の物品ＡＲは、まず、図８（Ａ）に示したように、各揺動部１４の階段状の傾き復元面１４ｃに乗り上がり、この乗り上がり過程で段差に基づいて図中時計回り方向に段階的に回動して揺動する。
【００４１】
移動中の２個の物品ＡＲのうちの図中右側の物品ＡＲは、続いて、図８（Ｂ）に示したように、隣の揺動部１４に入り込み、重心が傾き付与面１４ａを超えたところで傾きが付与され、図中反時計回り方向に回動して揺動する。一方、移動中の２個の物品ＡＲのうちの図中左側の物品ＡＲは、続いて、図８（Ｂ）に示したように、隣の転向部１３に入り込み、重心が傾き付与面１３ａを超えたところで傾きが付与され、図中反時計回り方向に回動して揺動する。
【００４２】
移動中の２個の物品ＡＲのうちの図中右側の物品ＡＲは、続いて、図８（Ｃ）に示したように、揺動部１４の底面１４ｂに案内されつつ階段状の傾き復元面１４ｃに達し、当該傾き復元面１４ｃを乗り上がって前記同様に図中時計回り方向に段階的に回動して揺動する。一方、移動中の２個の物品ＡＲのうちの図中左側の物品ＡＲは、続いて、図８（Ｃ）に示したように、転向部１３の底面１３ｂ（案内面）に案内されつつ傾き増長面１３ｃに達し、その下端を基点として傾き増長面１３ｃの角度に準じて反時計回り方向に大きく回動する。
【００４３】
移動中の２個の物品ＡＲのうちの図中右側の物品ＡＲは、続いて、図８（Ｄ）に示したように、隣の転向部１３に入り込んで、図８（Ａ）と図８（Ｂ）に示した図中左側の物品ＡＲの中間状態となる。一方、移動中の２個の物品ＡＲのうちの図中左側の物品ＡＲは、続いて、図８（Ｄ）に示したように、さらに反時計回り方向に回動して反転状態（図５（Ｂ）を参照）となり、当該反転状態で隣の後側移動区域に移動する。
【００４４】
後側移動区域に移動した物品ＡＲは、反転状態（図５（Ｂ）を参照）のまま後側移動区域を移動し、図９に示したように、２個の揺動部１３を経由して、前側移動区域に移動する。
【００４５】
前側移動区域に移動した反転状態（図５（Ｂ）を参照）の物品ＡＲを取り出すときには、図２（Ａ）に示したように、本体部１０の前側の取出部１５を閉塞状態から開放状態に変化させる。これにより、前側移動区域に移動した反転状態（図５（Ｂ）を参照）の物品ＡＲがその下の搬出部３４の物品滑動溝３４ａに反転状態のまま落下し、物品滑動溝３４ａを滑り落ちて物品停止溝３４ｂに達する（図９を参照）。
【００４６】
この物品ＡＲを取り出しは、送り部２０の回転を一時的に停止させた状態で行える他、送り部２０の回転中でも行うことが可能である。
【００４７】
〈玩具に基づく作用効果〉
次に、前述の玩具によって得ることができる主たる作用効果について説明する。
【００４８】
（Ｅ１）転向部１３を利用して移動中の物品ＡＲまたはＡＲ’の向きを変化（例えば反転）させることができ、しかも、当該向き変化を送り部２０の動作に基づいて行うことができるため、物品ＡＲまたはＡＲ’の向きを変化（例えば反転）に基づく視覚的変化による興趣を長期に及んで遊戯者に供与することができる。
【００４９】
（Ｅ２）物品ＡＲまたはＡＲ’の向きの変化が反転であるため、当該物品ＡＲまたはＡＲ’をドーナツやパン等の食品を摸したものとすれば、物品ＡＲまたはＡＲ’の移動およびその反転によって食品が調理されている様子を表現して、前記の興趣性を高めることができる。
【００５０】
（Ｅ３）物品ＡＲまたはＡＲ’を非反転状態と反転状態とで異なる色が視認できるようにすれば、食品が調理されている様子をより忠実に表現して、前記の興趣性をより一層高めることができる。
【００５１】
〈前述の玩具の変形例〉
次に、前記同様の作用効果を得ることが可能な前述の玩具の変形例について説明する。
【００５２】
（Ｍ１）前述の玩具では、本体部１０の主面部１１に１個の転向部１３と５個の揺動部１４と２個の移動区域を設け、送り部２０に計８個の押圧部２２を設けたものを例示したが、揺動部１４の個数を４個以下または６個以上とすれば、送り部２０の押圧部２２の個数を７個以下または９個以上とすることも可能である。
【００５３】
（Ｍ２）前述の玩具では、送り部２０の押圧部２２の間の角度間隔を等角度間隔としたものを示したが、隣接する２個の押圧部２２の間に物品ＡＲまたはＡＲ’が収まった状態で回転できるようになっていれば、押圧部２２の角度間隔は必ずしも等角度間隔でなくてもよい。
【００５４】
（Ｍ３）前述の玩具では、物品ＡＲまたはＡＲ’としてトーラス状または扁球状のものを例示したが、直方体状や扁平多角柱状の物品であっても、前記と同様の向き変化（反転を含む）は可能である。
【符号の説明】
【００５５】
１０…本体部、１１…主面部、１１ａ…溝部、１３…転向部、１３ａ…傾き付与面、１３ｂ…底面、１３ｃ…傾き増長面、１４…揺動部、１４ａ…傾き付与面、１４ｂ…底面、１４ｃ…傾き復元面、１５…取出部、２０…送り部、２２…押圧部、２２ａ…補助押圧部、３０…基台部、４０…操作手段、４１…ハンドル、４２…シャフト、４３…第１スパーギヤ、４５…フェースギヤ、ＡＲ，ＡＲ’…物品、ＡＲａ，ＡＲａ’…異色部。
【図１】
2020069403.tif 000003
【図２】
2020069403.tif 000004
【図３】
2020069403.tif 000005
【図４】
2020069403.tif 000006
【図５】
2020069403.tif 000007
【図６】
2020069403.tif 000008
【図７】
2020069403.tif 000009
【図８】
2020069403.tif 000010
【図９】
2020069403.tif 000011